(57)【要約】      （修正有）【課題】より安全な素材で作成された柔らかな触感のフィギュア、及びこのフィギュアの作成キットを提供する。【解決手段】アルギン酸ナトリウム水溶液２を有底孔４１が形成されたフィギュア型枠４に流し込む第１工程と、前記第１工程によって前記アルギン酸ナトリウム水溶液が流し込まれた前記フィギュア型枠を乳酸カルシウム水溶液に浸しながら、前記アルギン酸ナトリウム水溶液のアルギン酸ナトリウムと前記乳酸カルシウム水溶液の乳酸カルシウムが反応して形成された形成物を前記フィギュア型枠から抜く第２工程と、前記第２工程によって前記フィギュア型枠から抜かれた前記形成物を、前記乳酸カルシウム水溶液に所定時間浸した後、前記乳酸カルシウム水溶液から取り出す第３工程と、によって形成された。【選択図】図１
0003224691.tif 000002
【実用新案登録請求の範囲】
【請求項１】
アルギン酸ナトリウム水溶液を有底孔が形成されたフィギュア型枠に流し込む第１工程と、
前記第１工程によって前記アルギン酸ナトリウム水溶液が流し込まれた前記フィギュア型枠を乳酸カルシウム水溶液に浸しながら、前記アルギン酸ナトリウム水溶液のアルギン酸ナトリウムと前記乳酸カルシウム水溶液の乳酸カルシウムが反応して形成された形成物を前記フィギュア型枠から抜く第２工程と、
前記第２工程によって前記フィギュア型枠から抜かれた前記形成物を、前記乳酸カルシウム水溶液に所定時間浸した後、前記乳酸カルシウム水溶液から取り出す第３工程と、
によって形成されたことを特徴とするフィギュア。アルギン酸ナトリウムと乳酸カルシウムが反応して形成される
【請求項２】
前記第１工程において、着色されている前記アルギン酸ナトリウム水溶液を、前記フィギュア型枠に流し込む、
ことを特徴とする請求項１に記載のフィギュア。
【請求項３】
前記第１工程において、互いに異なった色で着色されている、複数の前記アルギン酸ナトリウム水溶液を、前記フィギュア型枠に流し込む、
ことを特徴とする請求項２に記載のフィギュア。
【請求項４】
容器に入れられた前記アルギン酸ナトリウム水溶液と、
前記アルギン酸ナトリウム水溶液が流し込まれるための有底孔が形成されたフィギュア型枠と、
前記アルギン酸ナトリウム水溶液が流し込まれた前記フィギュア型枠を浸す乳酸カルシウム水溶液を作成するための乳酸カルシウム粉末と、を備えたフィギュアの作成キットであって、
前記アルギン酸ナトリウム水溶液が流し込まれたフィギュア型枠を前記乳酸カルシウム水溶液に浸しながら、前記アルギン酸ナトリウム水溶液のアルギン酸ナトリウムと前記乳酸カルシウム水溶液の乳酸カルシウムが反応して形成された形成物を前記フィギュア型枠から抜き、前記形成物を、前記乳酸カルシウム水溶液に所定時間浸した後、前記乳酸カルシウム水溶液から取り出すことで前記フィギュアを形成する、
ことを特徴とする作成キット。
【考案の詳細な説明】
【技術分野】
【０００１】
本考案は、柔らかなフィギュア及びこのフィギュアを作成するための作成キットに関する。
【背景技術】
【０００２】
従来、例えば、特許文献１に示すような、羽二重餅のごとき柔らかな触感が付与されたフィギュア柔らかな触感が付与されたフィギュアは知られている。従来のフィギュアは、フィギュア型枠に軟質の樹脂材を注入させて硬化させてなる軟質の樹脂材を注入した後、樹脂材を固化。
【先行技術文献】
【特許文献】
【０００３】
【特許文献１】特許第4533962号公報
【考案の概要】
【考案が解決しようとする課題】
【０００４】
上述したように、従来のフィギュアは、フィギュア型枠に軟質の樹脂材を注入させて硬化させて成るものであり、この軟質の樹脂材がユーザの口に入ることは好ましくはない場合がある。このため、例えば、作成キットを販売し、ユーザが自宅でフィギュアを作成することを実現し難かった。
【０００５】
そこで、本考案の課題は、より安全な素材で作成された柔らかな触感のフィギュア、及びこのフィギュアの作成キットを提供することである。
【課題を解決するための手段】
【０００６】
（１）上記課題を解決するために、本考案に係るフィギュアは、アルギン酸ナトリウム水溶液を有底が形成されたフィギュア型枠に流し込む第１工程と、前記第１工程によって前記アルギン酸ナトリウム水溶液が流し込まれた前記フィギュア型枠を乳酸カルシウム水溶液に浸しながら、前記アルギン酸ナトリウム水溶液のアルギン酸ナトリウムと前記乳酸カルシウム水溶液の乳酸カルシウムが反応して形成された形成物を前記フィギュア型枠から抜く第２工程と、前記第２工程によって前記型から抜かれた前記形成物を、前記乳酸カルシウム水溶液に所定時間浸した後、前記乳酸カルシウム水溶液から取り出す第３工程と、によって形成されたことを特徴とする。アルギン酸ナトリウムと乳酸カルシウムが反応して形成される
【０００７】
上記構成によれば、アルギン酸ナトリウム水溶液をフィギュア型枠に流しこんで、このフィギュア型枠を乳酸カルシウム水溶液に浸しながら、アルギン酸ナトリウムと乳酸カルシウムが反応して形成された形成物をフィギュア型枠から抜き、この形成物を乳酸カルシウム水溶液に所定時間浸した後に取り出すだけの簡単な方法で、柔らかな触感のフィギュアを形成することができる。ここで、アルギン酸ナトリウムも乳酸カルシウムも食品として販売されているような安全な材料であるため、誤って口に入れても安全なようにフィギュアを形成することができる。
【０００８】
（２）上記第１工程において、着色されている前記アルギン酸ナトリウム水溶液を、前記フィギュア型枠に流し込んでもよい。
【０００９】
上記構成によれば、アルギン酸ナトリウム水溶液が着色されているため、この様なアルギン酸ナトリウム水溶液をフィギュア型枠に流し込んで、乳酸カルシウム水溶液に浸して乳酸カルシウムと反応させるだけで、色付きのフィギュアを形成できる。
【００１０】
（３）上記第１工程において、互いに異なった色で着色されている、複数の前記アルギン酸ナトリウム水溶液を、前記フィギュア型枠に流し込んでもよい。
【００１１】
上記構成によれば、異なった色に着色された複数のアルギン酸ナトリウム水溶液をフィギュア型枠に流し込むだけの簡単な方法で、カラフルなフィギュアを作成することができる。
【００１２】
（４）上記課題を解決するために、本考案に係る作成キットは、容器に入れられた前記アルギン酸ナトリウム水溶液と、前記アルギン酸ナトリウム水溶液が流し込まれるための有底孔が形成されたフィギュア型枠と、前記アルギン酸ナトリウム水溶液が流し込まれた前記フィギュア型枠を浸す乳酸カルシウム水溶液を作成するための乳酸カルシウム粉末と、を備えたフィギュアの作成キットであって、前記アルギン酸ナトリウム水溶液が流し込まれたフィギュア型枠を前記乳酸カルシウム水溶液に浸しながら前記アルギン酸ナトリウム水溶液のアルギン酸ナトリウムと前記乳酸カルシウム水溶液の乳酸カルシウムが反応して形成された形成物を前記フィギュア型枠から抜き、前記形成物を、前記乳酸カルシウム水溶液に所定時間浸した後、前記乳酸カルシウム水溶液から取り出すことで前記フィギュアを形成する、
ことを特徴とする。
【００１３】
上記構成によれば、乳酸カルシウム粉末を水に溶かして乳酸カルシウム水溶液を作成し、アルギン酸ナトリウム水溶液をフィギュア型枠に流しこんで、このフィギュア型枠を乳酸カルシウム水溶液に浸しながら、アルギン酸ナトリウムと乳酸カルシウムが反応して形成された形成物をフィギュア型枠から抜き、この形成物を乳酸カルシウム水溶液に所定時間浸した後に取り出すだけの簡単な方法で、柔軟性のあるフィギュアを形成することができる。なお、アルギン酸ナトリウムを水溶液として作成キットに含めるため、このアルギン酸ナトリウム水溶液を予め着色することで、色付きのフィギュアを容易に作成させることもできる。ここで、アルギン酸ナトリウムも乳酸カルシウムも食品として販売されているような安全な材料である。このため、材料を誤って口に入れても安全であるため、安全でフィギュアの作成容易な作成キットを提供することができる。
【考案の効果】
【００１４】
上記構成によれば、より安全な素材で作成された柔らかな触感のフィギュア、及びこのフィギュアの作成キットを提供することができる。
【図面の簡単な説明】
【００１５】
【図１】本発明の実施形態に係るフィギュアの作成キットを示す図である。
【図２】本発明に実施形態に係るフィギュアを作成するための工程のうち乳酸カルシウム水の作成工程を示す図である。
【図３】本発明に実施形態に係るフィギュアを作成するための工程のうち第１工程を示す図である。
【図４】本発明に実施形態に係るフィギュアを作成するための工程のうち第２工程を示す図である。
【図５】本発明に実施形態に係るフィギュアを作成するための工程のうち第２及び第３工程を示す図である。
【考案を実施するための形態】
【００１６】
以下に、図１から図５を用いて、本考案を適用した実施形態に係るフィギュア及びフィギュアの作成キットの構成を説明する。図１は、本発明の実施形態に係るフィギュアの作成キットを示す図である。図２は、本発明に実施形態に係るフィギュアを作成するための工程のうち乳酸カルシウム水の作成工程を示す図である。図３は、本発明に実施形態に係るフィギュアを作成するための工程のうち第１工程を示す図である。図４は、本発明に実施形態に係るフィギュアを作成するための工程のうち第２工程を示す図である。図５は、本発明に実施形態に係るフィギュアを作成するための工程のうち第２及び第３工程を示す図である。
【００１７】
図５で示すフィギュア１００は、図１で示すフィギュア１００の作成キット１を用いて作成された柔軟性のあるものである。作成キット１は、容器３１に入れられたアルギン酸ナトリウム水溶液２と、アルギン酸ナトリウム水溶液２が流し込まれるための有底孔４１が形成されたフィギュア型枠４と、アルギン酸ナトリウム水溶液２が流し込まれたフィギュア型枠４を浸す乳酸カルシウム水溶液３０を作成するための乳酸カルシウム粉末３と、を備えたフィギュアの作成キットである。なお、乳酸カルシウム粉末３は袋３１に入れられている。
【００１８】
アルギン酸ナトリウム水溶液２は、例えば食紅等で着色されており、作成キット１は、互いに異なった色で着色されている複数のアルギン酸ナトリウム水溶液２を有する。なお、本実施形態では、２つのアルギン酸ナトリウム水溶液２が作成キット１には含まれており、２つ（２種類）のアルギン酸ナトリウム水溶液２を区別する場合には、「Ａ」「Ｂ」の添え字を付して、アルギン酸ナトリウム水溶液２Ａ、２Ｂと記載する。この様に、アルギン酸ナトリウム水溶液２が着色されているため、容易に色付きのフィギュア１００を形成できる。また、異なった色に着色された複数のアルギン酸ナトリウム水溶液２が作成キット１に含まれているため、ユーザは、容易にカラフルなフィギュア１００を作成することができる。なお、本実施形態では、アルギン酸ナトリウム水溶液２は、着色されているが、着色されておらず透明等であってもよく、複数のアルギン酸ナトリウム水溶液２が作成キット１に含まれていなくてもよい。また、アルギン酸ナトリウム水溶液２の着色は、例えば、食品の着色料（例えば、食用タール色素等）を用いて行われることが好ましい。
【００１９】
乳酸カルシウム粉末３は、フィギュア１００の作成工程において、図４で示すように、ユーザによって水Ｗ（お湯を含む）に溶かされて、乳酸カルシウム水溶液３０を作成するためのものである。
【００２０】
フィギュア型枠４は、例えば樹脂等で成形された略直方体形状の型枠であり、その上面には有底孔４１が穿設されている。なお、フィギュア型枠４の形状は略直方体形状でなくてもよく、円柱状等の他の形状であってもよい。また、フィギュア型枠４を上方から視認すると、有底孔４１は魚の形状を有しているが、他の形状（例えば他の生物の形状、幾何学的な形状）であってもよい。
【００２１】
次に、作成キット１を用いたフィギュアの作成方法を説明する。フィギュア１００は、以下に説明する第１工程から第３工程によって形成される。なお、フィギュア１００は、第１工程から第３工程によって形成された状態で販売されてもよく、販売された作成キット１を購入したユーザが、家庭や学校等において自分で作成してもよい。まず、図２で示すように乳酸カルシウム粉末３を、フィギュア型枠４が完全に浸水可能な大きさの容器５に入れられた水Ｗ（例えば３０℃程度のお湯）に溶かして、乳酸カルシウム水溶液３０を作成（図４）する。なお、水Ｗ１Ｌに対して、乳酸カルシウム粉末３を約１０ｇ程度溶かすことが好ましく、袋３１に予め約１０ｇの乳酸カルシウム粉末３が入れられていてもよい。また、作成キット１に、乳酸カルシウム粉末３が入れられた袋３１が複数含まれていてもよい。
【００２２】
次に第１工程を実施する。図３を参照して、第１工程は、アルギン酸ナトリウム水溶液２を有底孔４１が形成されたフィギュア型枠４に流し込む工程である。なお、有底孔４１に予め乳酸カルシウム水溶液３０を図略のブラシ等で塗布しておき、その後に、有底孔４１にアルギン酸ナトリウム水溶液２を流し込むことが好ましい。これによって、有底孔４１における底部分に流し込まれたアルギン酸ナトリウム水溶液２を乳酸カルシウムと十分に反応させ易くなる。また、アルギン酸ナトリウム水溶液２は着色されているため、この様に、着色されているアルギン酸ナトリウム水溶液２を、フィギュア型枠４に流し込み、後の工程で乳酸カルシウム水溶液３０に浸して乳酸カルシウムと反応させるだけで、色付きのフィギュア１００を形成することができる。また、作成キット１は、２種類の異なった色に着色されたアルギン酸ナトリウム水溶液２を有するが、この様に互いに異なった色で着色されている、複数のアルギン酸ナトリウム水溶液２（２Ａ、２Ｂ）を、フィギュア型枠４に流し込むだけの簡単な方法で、容易にカラフルなフィギュア１００を形成することができる。例えば、これらの２種類のアルギン酸ナトリウム水溶液２の両方を有底孔４１に混ざらないように入れることで２種類の色で構成されたフィギュア１００を作成することが出来る。なお、混ざるように入れることで、２種類の色を混色した色のフィギュア１００を作成することができる。なお、第１工程において、ラメ等をアルギン酸ナトリウム水溶液２とともにフィギュア型枠４に入れ、きらきらしたフィギュア１００を作成してもよい。
【００２３】
次に第２工程を実施する。図４を参照して、第２工程は、上述した第１工程によってアルギン酸ナトリウム水溶液２が流し込まれたフィギュア型枠４を、水平な状態で容器５内の乳酸カルシウム水溶液３０に浸す工程を含む。この様に、フィギュア型枠４を乳酸カルシウム水溶液３０に浸して所定時間（例えば、５分程）が経過すると、フィギュア型枠４の有底孔４１に流し込まれたアルギン酸ナトリウム水溶液２のアルギン酸ナトリウムが乳酸カルシウム水溶液３０の乳酸カルシウムと反応して固体になり、手等で触れる状態になる。図５で示すように、この様に、アルギン酸ナトリウムと乳酸カルシウムが反応して形成された固体の形成物２´をフィギュア型枠４から抜く工程も、第２工程に含まれる。なお、ユーザがフィギュア型枠４を乳酸カルシム水溶液３０に漬けた状態で、手等で持って優しく揺らすだけで、揺らすことで生じた形成物２´と有底孔４１との間に乳酸カルシウム水溶液３０が入り込み、形成物２´をフィギュア型枠４から抜くことができる。浸してから所定時間経過前に形成物２´をフィギュア型枠４から抜いても、触らなければ形状を保持することができる。
【００２４】
次に第３工程を実施する。図５を参照して、第３工程は、上述した第２工程によってフィギュア型枠４から抜かれた形成物２´を、所定時間（乳酸カルシウム水溶液３０に浸してから、例えば２０分程）浸した後、乳酸カルシウム水溶液３０から取り出す工程である。所定時間浸した後には、形成物２´の固形化が進み、手で触っても崩れない程になる。この状態まで固形化が進んだ形成物２´がフィギュア１００となる。フィギュア１００を手や調理器具のいわゆるお玉状の道具６で乳酸カルシウム水溶液３０から掬い出すことで、乳酸カルシウム水溶液３０から取り出してもよいし、乳酸カルシウム水溶液３０に付けた状態で保管してもよい。なお、この様に形成されたフィギュア１００は、熱にも強く、少し温めた程度では溶けることがないため、夏場の屋外での保管も可能である。
【００２５】
本実施形態のフィギュア１００は、アルギン酸ナトリウム水溶液２をフィギュア型枠４に流しこんで、このフィギュア型枠４を乳酸カルシウム水溶液３０に浸しながら、アルギン酸ナトリウムと乳酸カルシウムが反応して形成された形成物２´をフィギュア型枠４から抜き、この形成物２´を乳酸カルシウム水溶液３０に所定時間浸した後に取り出すだけの簡単な方法で、柔らかな触感になるように作成されたものとなる。ここで、アルギン酸ナトリウムも乳酸カルシウムも食品添加物として販売されているような安全な材料である。アルギン酸ナトリウムは、昆布やわかめ等の海藻（褐藻類）に含まれる天然植物繊維であり、乳酸カルシウムは例えばトウモロコシ等の穀類由来の糖を乳酸菌で発行させ、カルシウムを加えたものである。この様な安全な材料でフィギュア１００を作成するため、誤って口に入れても安全なようにフィギュア１００を形成することができる。
【００２６】
更に、フィギュア１００の材料は安全なものであり、かつ容易にフィギュア１００を作成できるため、ユーザ自身にフィギュア１００を作成させることが可能になり、これによって、ユーザが自身でフィギュア１００を作成するための作成キット１を提供（販売）することができる。
【符号の説明】
【００２７】
１                  作成キット
１００              フィギュア
２（２１、２２）    アルギン酸ナトリウム水溶液
３                  乳酸カルシウム粉末
３０                乳酸カルシウム水溶液
４                  フィギュア型枠
【図１】
0003224691.tif 000003
【図２】
0003224691.tif 000004
【図３】
0003224691.tif 000005
【図４】
0003224691.tif 000006
【図５】
0003224691.tif 000007
【手続補正書】
【提出日】令和1年11月11日(2019.11.11)
【手続補正１】
【補正対象書類名】実用新案登録請求の範囲
【補正対象項目名】全文
【補正方法】変更
【補正の内容】
【実用新案登録請求の範囲】
【請求項１】
アルギン酸ナトリウム水溶液を有底孔が形成されたフィギュア型枠に流し込む第１工程と、
前記第１工程によって前記アルギン酸ナトリウム水溶液が流し込まれた前記フィギュア型枠を乳酸カルシウム水溶液に浸しながら、前記アルギン酸ナトリウム水溶液のアルギン酸ナトリウムと前記乳酸カルシウム水溶液の乳酸カルシウムが反応して形成された形成物を前記フィギュア型枠から抜く第２工程と、
前記第２工程によって前記フィギュア型枠から抜かれた前記形成物を、前記乳酸カルシウム水溶液に所定時間浸した後、前記乳酸カルシウム水溶液から取り出す第３工程と、
によって形成されたことを特徴とする、前記フィギュア型枠と同形状のフィギュア。
【請求項２】
前記第１工程において、着色されている前記アルギン酸ナトリウム水溶液を、前記フィギュア型枠に流し込む、
ことを特徴とする請求項１に記載のフィギュア。
【請求項３】
前記第１工程において、互いに異なった色で着色されている、複数の前記アルギン酸ナトリウム水溶液を、前記フィギュア型枠に流し込む、
ことを特徴とする請求項２に記載のフィギュア。
【請求項４】
容器に入れられた前記アルギン酸ナトリウム水溶液と、
前記アルギン酸ナトリウム水溶液が流し込まれるための有底孔が形成されたフィギュア型枠と、
容器に入れられ、前記アルギン酸ナトリウム水溶液が流し込まれた前記フィギュア型枠を浸す乳酸カルシウム水溶液を作成するための乳酸カルシウム粉末と、を備えたフィギュアの作成キットであって、
前記アルギン酸ナトリウム水溶液が流し込まれたフィギュア型枠を前記乳酸カルシウム水溶液に浸しながら、前記アルギン酸ナトリウム水溶液のアルギン酸ナトリウムと前記乳酸カルシウム水溶液の乳酸カルシウムが反応して形成された形成物を前記フィギュア型枠から抜き、前記形成物を、前記乳酸カルシウム水溶液に所定時間浸した後、前記乳酸カルシウム水溶液から取り出すことで前記フィギュアを形成する、
ことを特徴とする作成キット。